(57)【要約】【課題】音声通話時にアンテナからの電磁波による影響の懸念を払拭し、ＷＥＢページの閲覧時にアンテナの送受信効率が落ちないようにする。【解決手段】音声通話機能、インターネット接続機能を有する携帯電話機のアンテナ１００に、携帯電話機の上端部、下端部にそれぞれ配置される第１、第２のアンテナ１０７，１０８と、第１、第２のアンテナの切替を行って送信を行わせるためのアンテナ切替スイッチ２０８，２１０と、音声通話の発生を検出する音声通話発生検出部２０１Ａと、音声通話発生検出部による音声通話の発生検出時に音声フラグを記憶する音声フラグ記憶部２０５Ａと、データの送信発生を検出する送信発生検出部２０４Ａと、送信発生が検出され、音声フラグが設定されている場合に第２のアンテナを選択し、音声フラグが設定されていない場合には第１のアンテナを選択するようにアンテナ切替スイッチを制御するアンテナ切替部２０４Ｂとを備える。【選択図】  図２
2004274633.tif 000002
【特許請求の範囲】
【請求項１】
音声通話機能、インターネット接続機能を有する携帯電話機のアンテナにおいて、
前記携帯電話機の上端部に位置しインターネット接続を行うための第１のアンテナと、
前記携帯電話機の下端部に位置し音声通話を行うための第２のアンテナと、
前記第１のアンテナと前記第２のアンテナを切り替えて送受信を行わせるアンテナ切替スイッチと、
アプリケーションの起動状態から音声通話の発生を検出する音声通話発生検出部と、
前記音声通話発生検出部による音声通話の発生検出時に音声フラグを記憶する音声フラグ記憶部と、
データの送信発生を検出する送信発生検出部と、
前記送信発生検出部により送信発生が検出され、前記音声フラグ記憶部に音声フラグが設定されている場合には前記第２のアンテナを選択し、前記音声フラグ記憶部に音声フラグが設定されていない場合には前記第１のアンテナを選択するように前記アンテナ切替スイッチを制御するアンテナ切替部とを備えることを特徴とする携帯電話機のアンテナ。
【請求項２】
前記アンテナ切替部は送信時に選択したアンテナと同一のアンテナを受信時に用いることを特徴とする、請求項１に記載の携帯電話機のアンテナ。
【請求項３】
前記アンテナ切替部は受信時にはダイバーシティ受信に有利なアンテナを選択することを特徴とする、請求項１に記載の携帯電話機のアンテナ。
【請求項４】
音声通話機能、インターネット接続機能を有する携帯電話機のアンテナにおいて、
前記携帯電話機の上端部の右側に位置しインターネット接続を行うための第１のアンテナと、
前記携帯電話機の下端部の右側に位置し音声通話を行うための第２のアンテナと、
前記携帯電話機の上端部の左側に位置しインターネット接続を行うための第３のアンテナと、
前記携帯電話機の下端部の左側に位置し音声通話を行うための第４のアンテナと、
前記第１のアンテナ、前記第３のアンテナ、前記第２のアンテナ、前記第４のアンテナを切り替えて送受信を行わせるアンテナ切替スイッチと、
アプリケーションの起動状態から音声通話の発生を検出する音声通話発生検出部と、
前記音声通話発生検出部による音声通話の発生検出時に音声フラグを記憶する音声フラグ記憶部と、
データの送信発生を検出する送信発生検出部と、
前記送信発生検出部により送信発生が検出され、前記音声フラグ記憶部に音声フラグが設定されている場合には前記第２のアンテナ、前記第４のアンテナを選択し、選択した前記第２のアンテナ、前記第４のアンテナのうち、さらにダイバーシティ受信に有利な方の１つを選択し、前記音声フラグ記憶部に音声フラグが設定されていない場合には前記第１のアンテナ、前記第３のアンテナを選択し、選択した前記第１のアンテナ、前記第３のアンテナのうち、さらにダイバーシティ受信に有利の方の１つを選択するように前記アンテナ切替スイッチを制御するアンテナ切替部とを備えることを特徴とする携帯電話機のアンテナ。
【請求項５】
前記第１のアンテナ、前記第２のアンテナ、前記第３のアンテナ、前記第４のアンテナはチップアンテナ又はパターンアンテナであることを特徴とする、請求項１又は請求項４に記載の携帯電話機のアンテナ。
【請求項６】
折り畳み形状を有する前記携帯電話機が展開した状態の上側部の上端部に前記第１のアンテナ、前記第３のアンテナ、下側部の下端部に前記第２のアンテナ、前記第４のアンテナが配置されることを特徴とする、請求項１又は請求項５に記載の携帯電話機のアンテナ。
【請求項７】
前記第１のアンテナ、前記第３のアンテナ、前記第２のアンテナ、前記第４のアンテナの送受信周波数が同一であることを特徴とする、請求項４に記載の携帯電話機のアンテナ。
【請求項８】
音声通話機能、インターネット接続機能を有する携帯電話機のアンテナの切替方法において、
アプリケーションの起動状態から音声通話の発生を検出する工程と、
音声通話の発生検出時に音声フラグを設定する工程と、
データの送信発生を検出する工程と、
送信発生が検出され、音声フラグが設定されていない場合には前記携帯電話機の上端部に位置する第１のアンテナを選択する工程と、
選択された前記第１のアンテナでインターネット接続の要求に対して送信を行う工程と、
送信発生が検出され、音声フラグが設定されている場合には前記携帯電話機の下端部に位置する第２のアンテナを選択する工程と、
選択された前記第２のアンテナで音声通話の要求に対して送信を行う工程と、
前記第１のアンテナ、前記第２のアンテナのうちダイバーシティ受信に有利なアンテナを選択して受信を行う工程とを備えることを特徴とする携帯電話機のアンテナの切替方法。
【請求項９】
音声通話機能、インターネット接続機能を有する携帯電話機のアンテナの切替方法において、
アプリケーションの起動状態から音声通話の発生を検出する工程と、
音声通話の発生検出時に音声フラグを設定する工程と、
データの送信発生を検出する工程と、
送信発生が検出され、音声フラグが設定されている場合には前記携帯電話機の上端部の左右にそれぞれ位置する第１の２つのアンテナを選択する工程と、
選択した前記１の２つのアンテナのうちダイバーシティ受信に有利な方の１つを選択しインターネット接続の受信を行う工程と、
前回のインターネット接続の受信に用いたアンテナでインターネット接続の送信を行う工程と、
送信発生が検出され、音声フラグが設定されていない場合には前記携帯電話機の下端部の左右にそれぞれ位置する第２の２つのアンテナを選択する工程と、
選択した前記２の２つのアンテナのうちダイバーシティ受信に有利な方の１つを選択し音声通話の受信を行う工程と、
前回の音声通話の受信に用いたアンテナで音声通話の送信を行う工程とを備えることを特徴とする携帯電話機のアンテナの切替方法。
【発明の詳細な説明】
【０００１】
【発明が属する技術分野】
本発明は複数のアンテナを実装した携帯電話機のアンテナに関する。特に、本発明は、ユーザが使用する機能ごとにそれぞれアンテナを切り替える方法に関する。
【０００２】
【従来の技術】
従来のアンテナシステムでは少なくとも２つのアンテナと、アンテナのうち少なくとも１つが給電されるように切り替えるスイッチ回路とを備え、アンテナのうち給電されていない方のアンテナは給電された方のアンテナに対する無給電素子として機能することでアンテナの指向性を切り替えるようにしている（例えば、特許文献１参照。）。
【０００３】
また、従来の移動体通信機器では無指向性アンテナと、指向性アンテナと、送受信部と、無指向性アンテナおよび指向性アンテナと送受信部との接続状態を切り替える切替スイッチと、切替スイッチを制御する制御回路とを備え、制御回路１０は移動体通信機器の使用状態に応じて切替スイッチを制御し、待ち受け状態では無指向性アンテナと送受信部とが接続されるようにしている（例えば、特許文献２参照。）。
【０００４】
【特許文献１】
特開２００２−２３２２２４号公報（段落００４４〜段落００５３、図１）
【特許文献２】
特開２０００２−２６１６７９号公報（段落００１１、図２）
【０００５】
近年の携帯電話機は、携帯時の利便性、通話時の使い易さ等の理由から、折り畳み形状が一般的となりつつある。
また、携帯電話機でのインターネット接続、ＷＥＢアクセスも一般的に行われているので、本形状にてディスプレイを大きく構成できることも理由の１つとなっている。
【０００６】
一方、携帯電話機のアンテナはこれまでホイップアンテナ、その先端にヘリカルアンテナを使用し、折り畳み形状の場合は展開した状態の端部、中央部等に配置した形状が一般的であった。
しかし携帯電話機で使用する周波数はＵＨＦ（Ｕｌｔｒａ  Ｈｉｇｈ  Ｆｒｅｑｕｅｎｃｙ）帯から準マイクロは帯と呼ばれるＧＨｚオーダーの周波数に徐々にシフトしており、これに従い波長短縮の関係からアンテナの小型化が進んでいる。
【０００７】
図１１は本発明の前提となる携帯電話機でアンテナの配置例の概略外観を示す斜視図である。
本図に示すように、携帯電話機１００は折り畳み形状を有し、携帯電話機１００の筐体の上側部１０１、下側部１０２を展開した状態で使用される。
上側部１０１のフロント面にはユーザに対する表示全般を行い、例えば、携帯電話機１００を操作してインターネット接続等の用途では、ＷＥＢページの表示等を行う表示部１０３、スピーカ等のレシーバからなる受話部１０４が設けられ、下側部１０２のフロント面にはユーザからの入力操作を受け付け、具体的にはキーボード等で構成される入力部１０５、マイクロフォンで構成される送話部１０６が設けられる。
【０００８】
さらに、携帯電話機１００の展開状態で上側部１０１の上端部には送受信を行うアンテナ１０７が配置される。
アンテナ１０７は、小型アンテナの代表的な形状として基板に銅版でアンテナパターンを構成するパターンアンテナ、チップアンテナなどである。
アンテナ１０７ではこれらのアンテナを使用することにより、ホイップアンテナのような突起形状を持たない、いわゆる内蔵アンテナを実現することを可能にしている。
【０００９】
しかしながら、携帯電話機１００のアンテナ１０７の内蔵化においては、以下のような問題点を抱えている。
第１の問題点では、アンテナ１０７を上側部１０１の上端部に配置した場合、電磁波による人体頭部への影響をユーザが懸念する可能性がある点である。
アンテナ１０７を上側部１０１の上端部に配置した場合は、音声通話時にちょうど頭部にアンテナ１０７が接することになる。
【００１０】
携帯電話機１００で使用されるＵＨＦ帯〜準マイクロ波帯の周波数特性、携帯電話機１００で使用される送信出力の観点では、総務省の見解においても人体への影響は無いが、例えば、無線ＬＡＮ（Ｌｏｃａｌ  Ａｒｅａ  Ｎｅｔｗｏｒｋ）（ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１）等で使用される周波数は電子レンジで使用される周波数と同一である。
【００１１】
このため、送信出力、変調方法等の違いにより理論的には影響ないものとはいえ、一般ユーザの心理としては懸念の声があっても不思議ではない。
第１の問題点を避けるためにアンテナ１０７を下側部１０２の下端部に配置した場合にはアンテナ１０７の送受信効率の点で想定される第２の問題点が以下のように発生する。
【００１２】
図１２は本発明の前提となる携帯電話機のアンテナの配置例で別の例の概略外観を示す斜視図である。
本図に示すように、図１１と比較すると、アンテナ１０７は携帯電話機１００の展開状態で下側部１０２の下端部に配置される。
前述のように近年の携帯電話機では、携帯電話機１００単体でインターネット接続、ＷＥＢページの閲覧等が行われることが常識となっている。
【００１３】
折り畳み形状の携帯電話機１００の場合、表示部１０３が一般的に上側部１０１のフロント面に、入力部１０５が下側部１０２のフロント面に配置されることが多いため、このような用途の場合はユーザが下側部１０２を手で持って使用することが多い。
このため、アンテナ１０７を下側部１０２の下端部に配置した場合、アンテナ１０７を手で覆ってしまうことになるため、送受信時にアンテナ１０７の送受信効率が落ちることになるという第２の問題点が発生する。
【００１４】
【発明が解決しようとする課題】
したがって、本発明は上記問題点に鑑みて、音声通話時にアンテナからの電磁波による影響の懸念を払拭し、インターネット接続時、ＷＥＢページの閲覧時にアンテナの送受信効率が落ちない携帯電話機のアンテナ及びその切替方法を提供することを目的とする。
【００１５】
【課題を解決するための手段】
本発明は前記問題点を解決するために、音声通話機能、インターネット接続機能を有する携帯電話機のアンテナにおいて、前記携帯電話機の上端部に位置しインターネット接続を行うための第１のアンテナと、前記携帯電話機の下端部に位置し音声通話を行うための第２のアンテナと、前記第１のアンテナと前記第２のアンテナを切り替えて送受信を行わせるアンテナ切替スイッチと、アプリケーションの起動状態から音声通話の発生を検出する音声通話発生検出部と、前記音声通話発生検出部による音声通話の発生検出時に音声フラグを記憶する音声フラグ記憶部と、データの送信発生を検出する送信発生検出部と、前記送信発生検出部により送信発生が検出され、前記音声フラグ記憶部に音声フラグが設定されている場合には前記第２のアンテナを選択し、前記音声フラグ記憶部に音声フラグが設定されていない場合には前記第１のアンテナを選択するように前記アンテナ切替スイッチを制御するアンテナ切替部とを備えることを特徴とする携帯電話機のアンテナを提供する。さらに、前記アンテナ切替部は送信時に選択したアンテナと同一のアンテナを受信時に用いる。
【００１６】
この手段により、音声通話時にアンテナからの電磁波による影響の懸念を払拭し、インターネット接続時、ＷＥＢページの閲覧時にアンテナの送受信効率が落ちないようにすることが可能になった。
さらに、前記アンテナ切替部は受信時にはダイバーシティ受信に有利なアンテナを選択する。
【００１７】
この手段により、機能毎にアンテナを切り替える用途以外にダイバーシティ受信の用途にも使用可能になる。
さらに、本発明は、音声通話機能、インターネット接続機能を有する携帯電話機のアンテナにおいて、前記携帯電話機の上端部の右側に位置しインターネット接続を行うための第１のアンテナと、前記携帯電話機の下端部の右側に位置し音声通話を行うための第２のアンテナと、前記携帯電話機の上端部の左側に位置しインターネット接続を行うための第３のアンテナと、前記携帯電話機の下端部の左側に位置し音声通話を行うための第４のアンテナと、前記第１のアンテナ、前記第３のアンテナ、前記第２のアンテナ、前記第４のアンテナを切り替えて送受信を行わせるアンテナ切替スイッチと、アプリケーションの起動状態から音声通話の発生を検出する音声通話発生検出部と、前記音声通話発生検出部による音声通話の発生検出時に音声フラグを記憶する音声フラグ記憶部と、データの送信発生を検出する送信発生検出部と、前記送信発生検出部により送信発生が検出され、前記音声フラグ記憶部に音声フラグが設定されている場合には前記第２のアンテナ、前記第４のアンテナを選択し、選択した前記第２のアンテナ、前記第４のアンテナのうち、さらにダイバーシティ受信に有利の方の１つを選択し、前記音声フラグ記憶部に音声フラグが設定されていない場合には前記第１のアンテナ、前記第３のアンテナを選択し、選択した前記第１のアンテナ、前記第３のアンテナのうち、さらにダイバーシティ受信に有利の方の１つを選択するように前記アンテナ切替スイッチを制御するアンテナ切替部とを備えることを特徴とする携帯電話機のアンテナを提供する。
【００１８】
この手段により、音声通話時にアンテナからの電磁波による影響の懸念を払拭し、インターネット接続時、ＷＥＢページの閲覧時にアンテナの送受信効率が落ちないようにすることが可能になると同時に送受信フェーズ間で携帯電話機本体の空間的移動量が大きくない場合は、ダイバーシティ受信で選択したアンテナを使って送信することにより、送信フェージングの影響を低減する効果が期待できる。
好ましくは、前記第１のアンテナ、前記第２のアンテナ、前記第３のアンテナ、前記第４のアンテナはチップアンテナ又はパターンアンテナである。
【００１９】
この手段により、第１のアンテナ、第２のアンテナ、前第３のアンテナ、第４のアンテナが小型化できるので、携帯電話機の上端部、下端部への配置が可能になる。
好ましくは、折り畳み形状を有する前記携帯電話機が展開した状態の上側部の上端部に前記第１のアンテナ、前記第３のアンテナ、下側部の下端部に前記第２のアンテナ、前記第４のアンテナが配置される。
【００２０】
この手段により、利便性の高い携帯電話機へのアンテナの内蔵化が可能なる。
好ましくは、前記第１のアンテナ、前記第３のアンテナ、前記第２のアンテナ、前記第４のアンテナの送受信周波数が同一である。
この手段により、特に、ＩＥＥＥ８０２．１１では送受信共に同一周波数を使用するため、さらに、静止状態であればフェージング条件も基本的には送受信でほぼ同一となる効果を得ることが可能になる。
さらに、本発明は、音声通話機能、インターネット接続機能を有する携帯電話機のアンテナの切替方法において、アプリケーションの起動状態から音声通話の発生を検出する工程と、音声通話の発生検出時に音声フラグを設定する工程と、
データの送信発生を検出する工程と、送信発生が検出され、音声フラグが設定されていない場合には前記携帯電話機の上端部に位置する第１のアンテナを選択する工程と、選択された前記第１のアンテナでインターネット接続の要求に対して送信を行う工程と、送信発生が検出され、音声フラグが設定されている場合には前記携帯電話機の下端部に位置する第２のアンテナを選択する工程と、選択された前記第２のアンテナで音声通話の要求に対して送信を行う工程と、前記第１のアンテナ、前記第２のアンテナのうちダイバーシティ受信に有利なアンテナを選択して受信を行う工程とを備えることを特徴とする携帯電話機のアンテナの切替方法を提供する。
【００２１】
この手段により、上記発明と同様に、音声通話時にアンテナからの電磁波による影響の懸念を払拭し、インターネット接続時、ＷＥＢページの閲覧時にアンテナの送受信効率が落ちないようにすることが可能になった。
さらに、本発明は、音声通話機能、インターネット接続機能を有する携帯電話機のアンテナの切替方法において、アプリケーションの起動状態から音声通話の発生を検出する工程と、音声通話の発生検出時に音声フラグを設定する工程と、データの送信発生を検出する工程と、送信発生が検出され、音声フラグが設定されている場合には前記携帯電話機の上端部の左右にそれぞれ位置する第１の２つのアンテナを選択する工程と、選択した前記１の２つのアンテナのうちダイバーシティ受信に有利な方の１つを選択しインターネット接続の受信を行う工程と、前回のインターネット接続の受信に用いたアンテナでインターネット接続の送信を行う工程と、送信発生が検出され、音声フラグが設定されていない場合には前記携帯電話機の下端部の左右にそれぞれ位置する第２の２つのアンテナを選択する工程と、選択した前記２の２つのアンテナのうちダイバーシティ受信に有利な方の１つを選択し音声通話の受信を行う工程と、
前回の音声通話の受信に用いたアンテナで音声通話の送信を行う工程とを備えることを特徴とする携帯電話機のアンテナの切替方法を提供する。
【００２２】
この手段により、上記発明と同様に、音声通話時にアンテナからの電磁波による影響の懸念を払拭し、インターネット接続時、ＷＥＢページの閲覧時にアンテナの送受信効率が落ちないようにすることが可能になると同時に送受信フェーズ間で携帯電話機本体の空間的移動量が大きくない場合は、ダイバーシティ受信で選択したアンテナを使って送信することにより、送信フェージングの影響を低減する効果が期待できる。
【００２３】
【発明の実施の形態】
以下、本発明の実施の形態について図面を参照して説明する。
図１は本発明に係る携帯電話機でアンテナの配置例の概略外観を示す斜視図である。本図に示すように、図１１、図１２と比較して、折り畳み形状を有する携帯電話機１００にはアンテナ１０７、アンテナ１０８が実装され、展開状態の携帯電話機１００で上側部１０１の上端部にアンテナ１０７、下側部１０２の下端部にアンテナ１０８がそれぞれ配置され、内蔵化される。
【００２４】
アンテナ１０８はアンテナ１０７と同様に小型アンテナの代表的な形状として基板に銅版でアンテナパターンを構成するパターンアンテナ、チップアンテナなどであり、アンテナ１０８ではこれらのアンテナを使用することにより、ホイップアンテナのような突起形状を持たない、いわゆる内蔵アンテナを実現することを可能にしている。ここでは、アンテナ１０７、アンテナ１０８は、形状としてチップアンテナを想定する。
【００２５】
アンテナ１０７はＷＥＢページ閲覧等のインターネット接続に使用され、アンテナ１０８は音声通話に使用され、音声通話機能、インターネット接続機能、ＷＥＢページ閲覧機能を有する携帯電話機１００では、ユーザが使用する機能ごとにアンテナ１０７、アンテナ１０８のいずれか１つに切り替えられる。
図２は図１におけるアンテナ１０７、アンテナ１０８の切り替えを行う携帯電話機１００の無線回路の概略構成例を示すブロック図である。
【００２６】
ここでは、携帯電話機１００の無線回路としてＩＥＥＥ８０２．１１を使用することを想定している。
本図に示すように、無線回路２００には表示部１０３、入力部１０５に接続されるアプリケーション部２０１が設けられ、アプリケーション部２０１はＣＰＵ（中央演算装置）で構成される。
【００２７】
さらに、アプリケーション部２０１にはＤ／Ａ（Ａｎａｌｏｇ／Ｄｉｇｉｔａｌ）・Ａ／Ｄ（Ｄｉｇｉｔａｌ／Ａｎａｌｏｇ）変換部２０２が接続され、Ｄ／Ａ（Ａｎａｌｏｇ／Ｄｉｇｉｔａｌ）・Ａ／Ｄ（Ｄｉｇｉｔａｌ／Ａｎａｌｏｇ）変換部２０２は受話部１０４、送話部１０６に接続され、音声通話時にディジタル音声データからアナログ音声信号に変換して受話部１０４に出力し、送話部１０６から入力したアナログ音声信号をディジタル音声データに変換する。
【００２８】
アプリケーション部２０１では、後述するアプリケーション用メモリ２０３に格納されるプログラムに従い、表示部１０３、入力部１０５、Ｄ／Ａ（Ａｎａｌｏｇ／Ｄｉｇｉｔａｌ）・Ａ／Ｄ（Ｄｉｇｉｔａｌ／Ａｎａｌｏｇ）変換部２０２を経由する受話部１０４、送話部１０６の制御を含む無線回路２００全体の制御を行う。
【００２９】
アプリケーション部２０１にはアプリケーション用メモリ２０３が接続され、アプリケーション用メモリ２０３はアプリケーション部２０１の制御を実行するプログラム等を格納する。
特に、アプリケーション部２０１には音声通話発生検出部２０１Ａが設けられ、音声通話発生検出部２０１Ａは、常にユーザが起動するアプリケーションを監視し、ユーザ操作による音声通話発信操作、又は音声通話着信等にて音声通話開始イベントが発生すると、これを検知する。
【００３０】
さらに、アプリケーション部２０１では後述するベースバンド処理部２０４との間で、無線回線で送受信するためのデータ入出力、ベースバンド処理部２０４に対する制御等も行う。
このため、アプリケーション部２０１ではベースバンド処理部２０４、ディスプレイ部１０３、キーボード１０５、Ｄ／Ａ・Ａ／Ｄ変換部２０２とのデータ送受信を可能とするための各インタフェース回路（図示しない）を内蔵する。
【００３１】
さらに、アプリケーション部２０１にはベースバンド処理部２０４が接続され、ベースバンド処理部２０４は後述するベースバンド用メモリ２０５に格納されるプログラムに従い、ＩＥＥＥ８．０２．１１のベースバンド処理、データリンク層におけるＭＡＣ（Ｍｅｄｉａ  Ａｃｃｅｓｓ  Ｃｏｎｔｒｏｌ）処理までを行う。
【００３２】
特に、ベースバンド処理部２０４には送信発生検出部２０４Ａが設けられ、送信発生検出部２０４Ａは、ＩＥＥＥ８０２．１１では送信フェーズと受信フェーズが明確に分離されているので、送信すべきユーザデータが存在しかつ送信可能なタイミングと判断した場合は送信イベントを発生して送信発生の検出を行う。
さらに、ベースバンド処理部２０４にはアンテナ切替部２０４Ｂが設けられ、アンテナ切替部２０４Ｂはアンテナ切替部２０４Ｂの送信発生の検出、後述する音声フラグ記憶部２０５Ａに格納される音声フラグに基づいて、アンテナ１０７、アンテナ１０８の切替を行う。
【００３３】
ベースバンド処理部２０４にはベースバンド用メモリ２０５が接続され、ベースバンド用メモリ２０５はベースバンド処理部２０４のプログラムを格納し、またワークエリア、バッファ等にも使用される。
さらに、ベースバンド用メモリ２０５には音声フラグ記憶部２０５Ａが設けられ、音声フラグ記憶部２０５Ａは後述するように音声通話のアプリケーションの起動状態を示すための音声フラグも格納する。
【００３４】
このため、ベースバンド処理部２０４ではアプリケーション部２０１とデータ送受信を可能とするためにインタフェース回路（図示しない）を内蔵している。
ベースバンド処理部２０４には変復調処理部２０６が接続され、変復調処理部２０６はベースバンド信号と無線信号の相互変換を行う。
変復調処理部２０６には増幅器２０７が接続され、増幅器２０７は送信信号を増幅する。
【００３５】
増幅器２０７の出力側にはＲＦスイッチ２０８が接続され、ＲＦスイッチ２０８は送受信切替制御信号線２２３を介して送信発生検出部２０４Ａの送信検出に基づいてベースバンド処理部２０４の制御により送受信の切り替えに使用される。
ＲＦスイッチ２０８にはフィルタ２０９が接続され、フィルタ２０９は無線回線で使用する周波数帯域のみ通過させるためのバンドパスフィルタである。
【００３６】
アンテナ１０７、アンテナ１０８とフィルタ２０９の間にはＲＦスイッチ２１０が接続され、ＲＦスイッチ２１０は音声通話用アンテナ／ＷＥＢページ閲覧用アンテナ切替制御信号線２２４を介してベースバンド処理部２０４のアンテナ切替部２０４Ｂの制御によりアンテナ１０７、アンテナ１０８のどちらを使用するかの切り替えに使用される。
【００３７】
前述のように、本実施例ではベースバンド処理部２０４がデータリンク層の処理までを行うため、アプリケーション部２０１が無線回線で送受信するためのデータ入出力単位は、データリンク層の上位に位置するネットワーク層のパケット単位となり、具体的にはＩＰ（Ｉｔｅｒｎｅｔ  Ｐｒｏｔｏｃｏｌ：ＲＦＣ７９１）パケット単位を想定している。
【００３８】
無線回線の送受信タイミングに関してはＩＥＥＥ８０２．１１に従った制御が必要となるが、ベースバンド処理部２０４が行う構成となっている。
アプリケーション部２０１とベースバンド処理部２０４との間では、データ信号線２２１と制御信号線２２２の２本の論理信号線で接続されている。
データ信号線２２１では無線回線で送受信するユーザデータ、具体的には前述のＩＰパケットがやり取りされる。
【００３９】
アプリケーション部２０１からベースバンド処理部２０４への各種制御、ベースバンド処理部２０４からアプリケーション部２０１への通知等は制御信号線２２２で行われる。
アプリケーション部２０１から後述する音声フラグへの設定等も制御信号線２２２で行われる。
【００４０】
図３は音声フラグ設定制御を説明するフローチャートである。本図（ａ）に示すように、ステップＳ３０１において、アプリケーション部２０１の音声通話発生検出部２０１Ａでは、前述のように、常にユーザが起動するアプリケーションを監視し、ユーザ操作による音声通話発信操作、又は音声通話着信等にて音声通話開始イベントが発生すると、これを検知する。
【００４１】
ステップＳ３０２において、アプリケーション部２０１の音声通話発生検出部２０１Ａでは音声通話開始イベントの発生を検知すると、ベースバンド処理部２０４を介して、ベースバンド用メモリ２０５の音声フラグ記憶部２０５Ａに音声フラグをＯＮに設定する。
次に、本図（ｂ）に示すように、ステップＳ３０３において、アプリケーション部２０１の音声通話発生検出部２０１Ａでは、ユーザ操作による音声通話の終話操作等にて音声通話終了イベントが発生すると、これを検知する。
【００４２】
ステップＳ３０４において、アプリケーション部２０１の音声通話発生検出部２０１Ａでは音声通話終了イベントの発生を検知すると、ベースバンド処理部２０４を介して、ベースバンド用メモリ２０５の音声フラグ記憶部２０５Ａに音声フラグをＯＦＦに設定する。、
図４は送信時におけるアンテナ１０７、アンテナ１０８の切り替え動作例を説明するフローチャートである。
【００４３】
本図に示すように、ステップＳ３１１において、前述のように、ＩＥＥＥ８０２．１１では送信フェーズと受信フェーズが明確に分離されており、ベースバンド処理部２０４の送信発生検出部２０４Ａでは、送信すべきユーザデータが存在しかつ送信可能なタイミングと判断した場合は送信イベントを発生させるようになっている。
【００４４】
ステップＳ３１２において、ベースバンド処理部２０４の送信発生検出部２０４Ａでは送信イベント発生時は、まずＲＦスイッチ２０８を制御し、無線信号の送信側パスをＯＮにする。
ステップＳ３１３において、アプリケーション部２０１の音声通話発生検出部２０１Ａでは音声通話開始イベントの発生を検知すると、ベースバンド処理部２０４を介して、ベースバンド用メモリ２０５の音声フラグ記憶部２０５Ａに音声フラグをＯＮに設定する。ベースバンド処理部２０４のアンテナ切替部２０４Ｂでは、音声フラグ記憶部２０５Ａの音声フラグのＯＮ／ＯＦＦを確認する。
【００４５】
ステップＳ３１４において、ベースバンド処理部２０４のアンテナ切替部２０４Ｂでは、ＲＦスイッチ２１０を制御し、音声フラグがＯＮである場合には下側部１０２の下端部に位置するアンテナ１０８を選択する。
ステップＳ３１５において、ベースバンド処理部２０４のアンテナ切替部２０４Ｂでは、ＲＦスイッチ２１０を制御し、音声フラグがＯＦＦである場合には上側部１０１の上端部に位置するアンテナ１０７を選択する。
【００４６】
ステップＳ３１６において、ＩＥＥＥ８０２．１１のパケットの送信を行い、処理を終了する。
図５は送信時のアンテナの選択と受信時のアンテナ選択の関係例を説明する動作例を示すフローチャートである。
本図に示すように、ステップＳ３２１において、ベースバンド処理部２０４のアンテナ切替部２０４Ｂでは音声通話機能又はＷＥＢページ閲覧等のインターネット接続機能のいずれが選択されたかを判断する。
【００４７】
ステップＳ３２２において、音声通話機能の選択の場合にはアンテナ１０８の選択が行われる。
ステップＳ３２３において、送信発生があると、アンテナ１０８を用いて送信を行う。
ステップＳ３２４において受信発生があると、送信に用いたアンテナ１０８を用いて受信を行う。
【００４８】
ステップＳ３２５において、ＷＥＢ閲覧等のインターネット接続機能が選択された場合にはアンテナ１０７の選択が行われる。
ステップＳ３２６において、送信発生があると、アンテナ１０７を用いて送信を行う。
ステップＳ３２７において、受信発生があると、送信に用いたアンテナ１０７を用いて受信を行う。
【００４９】
次に、アンテナ１０７、アンテナ１０８をダイバーシティ受信に用いる例について以下に説明を行う。
この場合、ベースバンド処理部２０４のアンテナ切替部２０４Ｂでは前述のように、アンテナ１０７をＷＥＢページ閲覧等のインターネット接続に使用し、アンテナ１０８を音声通話に使用する音声通話／ＷＥＢページ閲覧切替モードの他に、ダイバーシティ切替モードを備え、ダイバーシティ切替モードに選択された場合には、ＲＦスイッチ２０８に対して受信側パスをＯＮにし、音声通話用アンテナ／ＷＥＢページ閲覧用アンテナ切替制御信号線２２４をダイバーシティ切替制御信号線２２４として用い、ダイバーシティ受信を行う。
【００５０】
図６は送信時のアンテナの選択と受信時のアンテナ選択の別の関係例を説明する動作例を示すフローチャートである。
本図に示すように、ステップＳ３３１において、ベースバンド処理部２０４のアンテナ切替部２０４Ｂでは音声通話機能又はＷＥＢページ閲覧等のインターネット接続機能のいずれが選択されたかを判断する。
【００５１】
ステップＳ３３２において、音声通話機能の選択の場合にはアンテナ１０８の選択が行われる。
ステップＳ３３３において、送信発生があると、アンテナ１０８を用いて送信を行う。
ステップＳ３３４において受信発生があると、送信に用いたアンテナ１０８を用いて受信を行う。
【００５２】
ステップＳ３３５において、受信信号の品質が良いか否かを判断する。良ければアンテナ１０８を用いて受信を継続する。
ステップＳ３３６において、受信信号の品質が悪ければアンテナ１０７を選択して受信を行う。
ステップＳ３３７において、ＷＥＢ閲覧等のインターネット接続機能が選択された場合にはアンテナ１０７の選択が行われる。
【００５３】
ステップＳ３３８において、送信発生があると、アンテナ１０７を用いて送信を行う。
ステップＳ３３９において、受信発生があると、送信に用いたアンテナ１０７を用いて受信を行う。
ステップＳ３４０において、受信信号の品質が良いか否かを判断する。良ければアンテナ１０７を用いて受信を継続する。
【００５４】
ステップＳ３４１において、受信信号の品質が悪ければアンテナ１０８を選択して受信を行う。
なお、ベースバンド処理部２０４では、ダイバーシティ受信時、プリアンブルコード受信中に、ＲＦスイッチ２１０を制御してアンテナ１０７、アンテナ１０８を交互に切り替え、それぞれの受信フェーズにおける受信品質を比較し、より良い条件で受信可能な方のアンテナを選択する等の動作を行う。
【００５５】
なお、ダイバーシティ受信におけるアンテナ切り替えアルゴリズムについては、本発明のアンテナ切り替え方法には直接関係せず、かつ一般事項であるため、ここでは詳細な説明を省略する。
このようにして、本発明のアンテナ切り替え方法によれば、音声通話時には、上側部１０１の上端部に位置するアンテナ１０７を送信に使用せず、人体頭部から一番離れた、携帯電話機１００の下側部１０２の下端部に実装されたアンテナ１０８を送信に使用するようにしたので、音声通話時の送信電磁波による人体頭部への影響を軽減できることが可能になった。
【００５６】
さらに、本発明のアンテナ切り替え方法によれば、携帯電話機１００の単体によるＷＥＢページ閲覧等のインターネット接続時の操作等で、ユーザが携帯電話機１００のキーボード１０５が配置されている下側部１０２の下端部に位置するアンテナ１０８を手で覆って操作する状況では、上側部１０１の上端部に位置するアンテナ１０７を送信に使用するようにしたので、送受信効率を向上することが可能になった。
【００５７】
アンテナ１０７、アンテナ１０８は機能毎の用途以外にダイバーシティ受信の用途にも使用可能になる。
次に、電波には反射干渉によるフェージングの問題があり、位相差の関係から必ずしも、前述した図１の例のとおりの効果が得られないことが考えられるので、以下にフェージングの問題の解消を説明する。
【００５８】
図７は図１の変形例に係る携帯電話機のアンテナの配置例で別の例の概略外観を示す斜視図である。本図に示すように、図１と比較して、携帯電話機１００にはアンテナ１０７Ａ、１０７Ｂ、アンテナ１０８Ａ、１０８Ｂの計４つが実装され、展開状態の携帯電話機１００では上側部１０１の上端部の左右にアンテナ１０７Ａ、１０７Ｂの２つ、下側部１０２の下端部の左右にアンテナ１０８Ａ、１０８Ｂの２つがそれぞれ配置され、内蔵化される。
【００５９】
前述した使用形態から、音声通話時の状況では下側部１０２の下端部の左右に配置されるアンテナ１０８Ａ、１０８Ｂが使用され、ＷＥＢページ閲覧等のインターネット接続時の状況では上側部１０１の上端部の左右に配置されるアンテナ１０７Ａ、１０７Ｂが使用される。
図８は図７におけるアンテナ１０７Ａ、アンテナ１０７Ｂ、アンテナ１０８Ａ、アンテナ１０８Ｂの切り替えを行う携帯電話機１００の無線回路の概略構成例を示すブロック図である。
【００６０】
本図に示すように、図２と比較して、ＲＦスイッチ２１０とアンテナ１０７Ａ、アンテナ１０７Ｂの間にＲＦスイッチ２１１が接続され、ＲＦスイッチ２１０とアンテナ１０８Ａ、アンテナ１０８Ｂとの間にＲＦスイッチ２１２が接続される。
ＲＦスイッチ２１０は音声通話用アンテナ切替制御信号線２２４を介してベースバンド処理部２０４のアンテナ切替部２０４Ｂの制御によりアンテナ１０７Ａ、アンテナ１０７Ｂの２つ又はアンテナ１０８Ａ、アンテナ１０８Ｂの２つのどちらを使用するかの切り替えに使用される。
【００６１】
ＲＦスイッチ２１１はダイバーシティ切替制御信号線２２５を介してベースバンド処理部２０４のアンテナ切替部２０４Ｂの制御によりアンテナ１０７Ａ、アンテナ１０７Ｂのどちらを使用するかの切り替えに使用される。
ＲＦスイッチ２１２はダイバーシティ切替制御信号線２２５を介してベースバンド処理部２０４のアンテナ切替部２０４Ｂの制御によりアンテナ１０８Ａ、１０８Ｂのどちらを使用するかの切り替えに使用される。
【００６２】
まず、アンテナ１０７Ａ、アンテナ１０７Ｂ、アンテナ１０８Ａ、アンテナ１０８Ｂの切り替え動作の説明の前に、ＩＥＥＥ８０２．１１パケット送信直前の受信フェーズにて、より良い条件で受信可能なアンテナが選択されているものとする。
具体的には、音声通話時にアンテナ１０８Ａ又はアンテナ１０８Ｂが選択され、ＷＥＢページ閲覧等のインターネット接続時にアンテナ１０７Ａ又はアンテナ１０７Ｂが選択されているものとし、またどちらのアンテナを使用したかを次の送信フェーズまで記憶できるようになっている。
【００６３】
このダイバーシティアンテナ切り替えのアルゴリズムについては、前述したように、本発明のアンテナ切り替え方法には直接関係せず、かつ一般的事項であるため、ここでは詳細説明を省略する。
図９は送信時におけるアンテナ１０７Ａ、アンテナ１０７Ｂ、アンテナ１０８Ａ、アンテナ１０８Ｂの切り替え動作例を説明するフローチャートである。
【００６４】
本図に示すように、ステップＳ３５１において、ベースバンド処理部２０４の送信発生検出部２０４Ａでは、送信すべきユーザデータが存在しかつ送信可能なタイミングと判断した場合は送信イベントを発生させ、送信発生の検出を行う。
ステップＳ３５２において、ベースバンド処理部２０４の送信発生検出部２０４では送信イベント発生時を検出し、まず、アンテナ切替部２０４Ｂの制御によりＲＦスイッチ２０８を制御し、無線信号の送信側パスをＯＮにする。
【００６５】
ステップＳ３５３において、アプリケーション部２０１の音声通話発生検出部２０１Ａでは音声通話開始イベントの発生を検知すると、ベースバンド処理部２０４を介して、ベースバンド用メモリ２０５の音声フラグ記憶部２０５Ａに音声フラグをＯＮに設定する。ベースバンド処理部２０４のアンテナ切替部２０４Ｂでは、音声フラグ記憶部２０５Ａの音声フラグのＯＮ／ＯＦＦを確認する。
【００６６】
ステップＳ３５４において、ベースバンド処理部２０４のアンテナ切替部２０４Ｂでは、音声フラグがＯＮである場合には直前の受信フェーズにおけるダイバーシティ受信にて、アンテナ１０８Ａ、アンテナ１０８Ｂのどちらが選択されたかを確認する。
ステップＳ３５５において、ベースバンド処理部２０４のアンテナ切替部２０４Ｂでは、アンテナ１０８Ａが選択されていれば、アンテナ１０８Ａに切り替える。
【００６７】
ステップＳ３５６において、ベースバンド処理部２０４のアンテナ切替部２０４Ｂでは、アンテナ１０８Ａが選択されていなければ、アンテナ１０８Ｂに切り替える。
ステップＳ３５７において、ベースバンド処理部２０４のアンテナ切替部２０４Ｂでは、音声フラグがＯＦＦである場合には直前の受信フェーズにおけるダイバーシティ受信にて、アンテナ１０７Ａ、アンテナ１０７Ｂのどちらが選択されたかを確認する。
【００６８】
ステップＳ３５８において、ベースバンド処理部２０４のアンテナ切替部２０４Ｂでは、アンテナ１０７Ａが選択されていれば、アンテナ１０７Ａに切り替える。
ステップＳ３５９において、ベースバンド処理部２０４のアンテナ切替部２０４Ｂでは、アンテナ１０７Ａが選択されていなければ、アンテナ１０７Ｂに切り替える。
【００６９】
ステップＳ３６０において、ＩＥＥＥ８０２．１１のパケットの送信を行い、処理を終了する。
図１０は送信時のアンテナの選択と受信時のアンテナ選択の関係例を説明する動作例を示すフローチャートである。
本図に示すように、ステップＳ３７１において、ベースバンド処理部２０４のアンテナ切替部２０４Ｂでは音声通話機能又はＷＥＢページ閲覧等のインターネット接続機能のいずれが選択されたかを判断する。
【００７０】
ステップＳ３７２において、音声通話機能の選択の場合には前回の受信でアンテナ１０８Ａを用いたか否かを判断する。
ステップＳ３７３において、前回の受信でアンテナ１０８Ａを用いた場合にはアンテナ１０８Ａを選択する。
ステップＳ３７４において、前回の受信でアンテナ１０８Ｂを用いた場合にはアンテナ１０８Ｂを選択する。
【００７１】
ステップＳ３７５において、送信発生があると、選択したアンテナ１０８Ａ又はアンテナ１０８Ｂを用いて送信を行う。
ステップＳ３７６において受信発生を待つ。
ステップＳ３７７において、受信発生があると、アンテナ１０８Ａを用いて受信を行い、受信信号の品質が良いか否かを判断する。
【００７２】
ステップＳ３７８において、良ければアンテナ１０８Ａを選択して受信を継続し、受信にアンテナ１０８Ａを用いた情報を保存する。
ステップＳ３７９において、アンテナ１０８Ａの受信信号の品質が悪ければアンテナ１０８Ｂを選択して受信を行い、受信にアンテナ１０８Ｂを用いた情報を保存する。
【００７３】
ステップＳ３８０において、ＷＥＢ閲覧等のインターネット接続機能が選択された場合には前回の受信でアンテナ１０７Ａを用いたか否かを判断する。
ステップＳ３８１において、前回の受信でアンテナ１０７Ａを用いた場合にはアンテナ１０７Ａを選択する。
ステップＳ３８２において、前回の受信でアンテナ１０７Ｂを用いた場合にはアンテナ１０７Ｂを選択する。
【００７４】
ステップＳ３８３において、送信発生があると、選択したアンテナ１０８Ａ又はアンテナ１０８Ｂを用いて送信を行う。
ステップＳ３８４において受信発生を待つ。
ステップＳ３８５において、受信発生があると、アンテナ１０７Ａを用いて受信を行い、受信信号の品質が良いか否かを判断する。
【００７５】
ステップＳ３８６において、良ければアンテナ１０７Ａを選択して受信を継続し、受信にアンテナ１０７Ａを用いた情報を保存する。
ステップＳ３８７において、アンテナ１０７Ａの受信信号の品質が悪ければアンテナ１０７Ｂを選択して受信を行い、受信にアンテナ１０７Ｂを用いた情報を保存する。
【００７６】
よって音声通話時にアンテナからの電磁波による影響の懸念を払拭し、インターネット接続時、ＷＥＢページの閲覧時にアンテナの送受信効率が落ちないようにすることが可能になると同時に送受信フェーズ間で携帯電話機１００本体の空間的移動量が大きくない場合は、ダイバーシティ受信で選択したアンテナを使って送信することにより、送信フェージングの影響を低減する効果が期待できる。
特に、ＩＥＥＥ８０２．１１では送受信共に同一周波数を使用するため、さらに、静止状態であればフェージング条件も基本的には送受信でほぼ同一でなる効果を得ることが可能になる。
【００７７】
なお、ここまでの実施例では無線回路としてＩＥＥＥ８０１．１１を想定してきたが、これ以外の無線回路に適用することも当然可能である。その場合も音声通話中か否かを判断し、送信アンテナを切り替えることになる。
以上の説明では折り畳み形状を有する利便性の高い携帯電話機へのアンテナの内蔵化について説明を行ったが、折り畳み形状を持たない携帯電話機についても同様に本発明の適用が可能である。
【００７８】
【発明の効果】
以上説明したように、本発明によれば、アプリケーションの起動状態から音声通話の発生を検出する工程と、音声通話の発生検出時に音声フラグを設定し、データの送信発生を検出し、送信発生が検出され、音声フラグが設定されていない場合には前記携帯電話機の上端部に位置する第１のアンテナを選択し、選択された前記第１のアンテナでインターネット接続の要求に対して送信を行い、送信発生が検出され、音声フラグが設定されている場合には前記携帯電話機の下端部に位置する第２のアンテナを選択し、選択された前記第２のアンテナで音声通話の要求に対して送信を行い、前記第１のアンテナ、前記第２のアンテナのうちダイバーシティ受信に有利なアンテナを選択して受信を行うようにしたので、音声通話時にアンテナからの電磁波による影響の懸念を払拭し、インターネット接続時、ＷＥＢページの閲覧時にアンテナの送受信効率が落ちないようにすることが可能になった。
【００７９】
さらに、アプリケーションの起動状態から音声通話の発生を検出し、音声通話の発生検出時に音声フラグを設定し、データの送信発生を検出し、送信発生が検出され、音声フラグが設定されている場合には前記携帯電話機の上端部の左右にそれぞれ位置する第１の２つのアンテナを選択し、選択した前記１の２つのアンテナのうちダイバーシティ受信に有利な方の１つを選択しインターネット接続の受信を行い、前回のインターネット接続の受信に用いたアンテナでインターネット接続の送信を行い、送信発生が検出され、音声フラグが設定されていない場合には前記携帯電話機の下端部の左右にそれぞれ位置する第２の２つのアンテナを選択し、選択した前記２の２つのアンテナのうちダイバーシティ受信に有利な方の１つを選択し音声通話の受信を行い、前回の音声通話の受信に用いたアンテナで音声通話の送信を行うようにしたので、音声通話時にアンテナからの電磁波による影響の懸念を払拭し、インターネット接続時、ＷＥＢページの閲覧時にアンテナの送受信効率が落ちないようにすることが可能になると同時に送受信フェーズ間で携帯電話機本体の空間的移動量が大きくない場合は、ダイバーシティ受信で選択したアンテナを使って送信することにより、送信フェージングの影響を低減する効果が期待できる。
【図面の簡単な説明】
【図１】本発明に係る携帯電話機でアンテナの配置例の概略外観を示す斜視図である。
【図２】図１におけるアンテナ１０７、アンテナ１０８の切り替えを行う携帯電話機１００の無線回路の概略構成例を示すブロック図である。
【図３】音声フラグ設定制御を説明するフローチャートである。
【図４】送信時におけるアンテナ１０７、アンテナ１０８の切り替え動作例を説明するフローチャートである。
【図５】送信時のアンテナの選択と受信時のアンテナ選択の関係例を説明する動作例を示すフローチャートである。
【図６】送信時のアンテナの選択と受信時のアンテナ選択の別の関係例を説明する動作例を示すフローチャートである。
【図７】図１の変形例に係る携帯電話機のアンテナの配置例で別の例の概略外観を示す斜視図である。
【図８】図５におけるアンテナ１０７Ａ、アンテナ１０７Ｂ、アンテナ１０８Ａ、アンテナ１０８Ｂの切り替えを行う携帯電話機１００の無線回路の概略構成例を示すブロック図である。
【図９】送信時におけるアンテナ１０７Ａ、アンテナ１０７Ｂ、アンテナ１０８Ａ、アンテナ１０８Ｂの切り替え動作例を説明するフローチャートである。
【図１０】送信時のアンテナの選択と受信時のアンテナ選択の関係例を説明する動作例を示すフローチャートである。
【図１１】本発明の前提となる携帯電話機でアンテナの配置例の概略外観を示す斜視図である。
【図１２】本発明の前提となる携帯電話機のアンテナの配置例で別の例の概略外観を示す斜視図である。
【符号の説明】
１００…携帯電話機
１０１…上側部
１０２…下側部
１０３…表示部
１０４…受話部
１０５…入力部
１０６…送話部
１０７、１０７Ａ、１０７Ｂ、１０８、１０８Ａ、１０８Ｂ…アンテナ
２０１…アプリケーション部
２０２…Ｄ／Ａ・Ａ／Ｄ変換部
２０３…アプリケーション用メモリ
２０４…ベースバンド処理部
２０５…ベースバンド用メモリ
２０５Ａ…音声フラグ記憶部
２０６…変復調処理部
２０７…増幅器
２０８、２１０、２１１、２１２…ＲＦスイッチ
２０９…フィルタ
２２１、２２２、２２３、２２４、２２５…制御信号線
【図１】
2004274633.tif 000003
【図２】
2004274633.tif 000004
【図３】
2004274633.tif 000005
【図４】
2004274633.tif 000006
【図５】
2004274633.tif 000007
【図６】
2004274633.tif 000008
【図７】
2004274633.tif 000009
【図８】
2004274633.tif 000010
【図９】
2004274633.tif 000011
【図１０】
2004274633.tif 000012
【図１１】
2004274633.tif 000013
【図１２】
2004274633.tif 000014